【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
コンピュータと接続される制御装置と、
前記制御装置と接続される記憶装置とを有する記憶装置システムおけるデータ管理方法であって、
前記制御装置が、前記記憶装置内に格納されている１または複数のファイルのうち、いずれのファイルに対し、ある時点における該ファイルに格納されているデータを保存するのかを決定するための条件を受信するステップと、
前記制御装置が、前記条件を前記記憶装置システム内に格納するステップとを有することを特徴とするデータ管理方法。
【請求項２】
請求項１記載のデータ管理方法であって、
前記条件を受信するステップでは、１つ以上の条件を受信し、
前記条件を管理するステップでは、１つ以上の条件を前記記憶装置システム内に格納することを特徴とするデータ管理方法。
【請求項３】
請求項１記載のデータ管理方法であって、
前記制御装置が受信する条件として、データの所有者を指定することと、データの内容に含まれるキーワードを指定することと、データのファイルサイズを指定することを含むことを特徴とするデータ管理方法。
【請求項４】
請求項１記載のデータ管理方法であって、
前記制御装置が、前記コンピュータから、該ファイルに格納されているデータを保存するよう、前記条件の指定を含む指示を受信するステップと、
前記制御装置が、前記指示に基づき、前記指示に含まれる条件に合致する、ある時点におけるファイルに格納されているデータを保存すべきファイルを決定するステップとを有することを特徴とするデータ管理方法。
【請求項５】
請求項４記載のデータ管理方法であって、
前記制御装置が、前記指示を受信したのち、前記１または複数のファイルのいずれかに対し、前記コンピュータから書き込み要求を受信した際、
前記書き込み要求に対応するファイルが、前記指示に含まれる条件に合致するファイルであるか否かを判定するステップと、
前記書き込み要求に対応するファイルが、前記指示に含まれる条件に合致するファイルであれば、前記制御装置が、前記書き込み要求に対応する領域に格納されているデータを保存したのち、前記書き込み要求に応じて、前記書き込み要求で指定された領域にデータを書き込むステップと、
前記書き込み要求に対応するファイルが、前記条件に合致するファイルでなければ、前記制御装置が、前記書き込み要求に応じて、前記書き込み要求に対応する領域にデータを書き込むステップとを有することを特徴とするデータ管理方法。
【請求項６】
請求項４記載のデータ管理方法であって、
前記制御装置が、前記条件に合致する、ファイルおよび該ファイルのある時点におけるデータを保存するための記憶領域の容量の指定を受信するステップと、
前記制御装置が、前記容量を前記記憶装置システム内に格納するステップとを有することを特徴とするデータ管理方法。
【請求項７】
請求項６記載のデータ管理方法であって、
前記制御装置が、前記指示を受信したのち、前記１または複数のファイルのいずれかに対し、前記コンピュータから書き込み要求を受信した際、
前記書き込み要求に対応するファイルが、前記指示に含まれる条件に合致するファイルであるか否かを判定するステップと、
前記書き込み要求に対応するファイルが前記指示に含まれる条件に合致するファイルであれば、前記制御装置が、前記指示に含まれる条件に合致するファイルのある時点における該ファイルのデータを保存した場合、前記容量を超えるか否かを判定するステップと、
前記書き込み要求に対応するファイルが、前記指示に含まれる条件に合致するファイルでなければ、前記制御装置が、前記書き込み要求に応じて、前記書き込み要求に対応する領域にデータを書き込むステップとを有することを特徴とするデータ管理方法。
【請求項８】
請求項７記載のデータ管理方法であって、
前記制御装置が、前記容量を超えないと判断した場合、前記書き込み要求に対応する領域に格納されているデータを保存したのち、前記書き込み要求に応じて、前記書き込み要求に対応する領域にデータを書き込むステップと、
前記制御装置が、前記容量を超えると判断した場合、前記コンピュータにエラーを送信するステップとを有することを特徴とするデータ管理方法。
【請求項９】
請求項７記載のデータ管理方法であって、
前記制御装置が、前記容量を超えないと判断した場合、前記書き込み要求に対応する領域に格納されているデータを保存したのち、前記書き込み要求に応じて、前記書き込み要求に対応する領域にデータを書き込むステップと、
前記制御装置が、前記容量を超えると判断した場合、該条件に合致するファイルのある時点におけるファイルのデータの一部を削除するステップを有することを特徴とするデータ管理方法。
【請求項１０】
コンピュータと接続される制御装置と、
前記制御装置と接続される記憶装置とを有する記憶装置システムであって、
前記制御装置は、前記記憶装置内に格納されている１または複数のファイルのうち、いずれのファイルに対し、ある時点における該ファイルに格納されているデータを保存するのかを決定するための条件を受信し、
前記制御装置が前記条件を前記記憶装置システム内に格納することを特徴とする記憶装置システム。
【請求項１１】
請求項１０記載の記憶装置システムであって、
前記制御装置は、前記条件を、管理テーブルを用いて管理することを特徴とする記憶装置システム。
【請求項１２】
請求項１０記載の記憶装置システムであって、
前記制御装置は、前記コンピュータから、１つ以上の条件を受信し、
１つ以上の条件を前記記憶装置システム内に格納することを特徴とする記憶装置システム。
【請求項１３】
請求項１０記載の記憶装置システムであって、
前記制御装置が受信する条件として、データの所有者を指定することと、データの内容に含まれるキーワードを指定することと、データのファイルサイズを指定することを含むことを特徴とする記憶装置システム。
【請求項１４】
請求項１０記載の記憶装置システムであって、
前記制御装置は、前記コンピュータから、該ファイルに格納されているデータを保存するよう、前記条件の指定を含む指示を受信し、
前記指示に基づき、前記指示に含まれる条件に合致する、ある時点におけるファイルに格納されているデータを保存すべきファイルを決定することを特徴とする記憶装置システム。
【請求項１５】
請求項１４記載の記憶装置システムであって、
前記制御装置は、前記指示を受信したのち、前記１または複数のファイルのいずれかに対し、前記コンピュータから書き込み要求を受信した際、
前記書き込み要求に対応するファイルが、前記指示に含まれる条件に合致するファイルであるか否かを判定し、
前記書き込み要求に対応するファイルが、前記指示に含まれる条件に合致するファイルであれば、前記書き込み要求に対応する領域に格納されているデータを保存したのち、前記書き込み要求に応じて、前記書き込み要求で指定された領域にデータを書き込み、
前記書き込み要求に対応するファイルが、前記条件に合致するファイルでなければ、前記書き込み要求に応じて、前記書き込み要求に対応する領域にデータを書き込むことを特徴とする記憶装置システム。
【請求項１６】
請求項１４記載の記憶装置システムであって、
前記制御装置は、前記条件に合致する、ファイルおよび該ファイルのある時点におけるデータを保存するための記憶領域の容量の指定を受信し、
前記容量を前記記憶装置システム内に格納することを特徴とする記憶装置システム。
【請求項１７】
請求項１６記載の記憶装置システムであって、
前記制御装置は、前記指示を受信したのち、前記１または複数のファイルのいずれかに対し、前記コンピュータから書き込み要求を受信した際、
前記書き込み要求に対応するファイルが、前記指示に含まれる条件に合致するファイルであるか否かを判定し、
前記書き込み要求に対応するファイルが、前記指示に含まれる条件に合致するファイルであれば、前記指示に含まれる条件に合致するファイルのある時点における該ファイルのデータを保存した場合、前記容量を超えるか否かを判定し、
前記指示に含まれる条件に合致するファイルでなければ、前記書き込み要求に応じて前記書き込み要求に対応する領域にデータを書き込むことを特徴とする記憶装置システム。
【請求項１８】
請求項１７記載の記憶装置システムであって、
前記制御装置は、前記容量を超えないと判断した場合、前記書き込み要求に対応する領域に格納されているデータを保存したのち、前記書き込み要求に応じて、前記書き込み要求に対応する領域にデータを書き込み、
前記容量を超えると判断した場合、前記コンピュータにエラーを送信することを特徴とする記憶装置システム。
【請求項１９】
請求項１７記載の記憶装置システムであって、
前記制御装置は、前記容量を超えないと判断した場合、前記書き込み要求に対応する領域に格納されているデータを保存したのち、前記書き込み要求に応じて、前記書き込み要求に対応する領域にデータを書き込み、
前記容量を超えると判断した場合、該条件に合致するファイルのある時点におけるファイルのデータの一部を削除することを特徴とする記憶装置システム。
【請求項２０】
コンピュータと、
前記コンピュータと接続される制御装置と記制御装置に接続される記憶装置とを有する記憶装置システムとを有する計算機システムであって、
前記コンピュータは、前記記憶装置内に格納されている１または複数のファイルのうち、いずれのファイルに対し、ある時点における該ファイルに格納されているデータを保存するのかを決定するための条件を送信し、
前記制御装置は、前記条件を受信し、
前記条件を前記記憶装置システム内に格納し、
前記コンピュータは、該ファイルに格納されているデータを保存するよう、前記条件の指定を含む指示を前記制御装置に送信し、
前記制御装置は、前記指示を受信し、
前記指示に基づき、前記指示に含まれる条件に合致する、ある時点におけるファイルに格納されているデータを保存すべきファイルを決定し、
前記コンピュータは、前記１または複数のファイルのいずれかに対し、前記コンピュータから書き込み要求を、前記制御装置に送信し、
前記制御装置は、前記書き込み要求を受信し、
前記書き込み要求に対応するファイルが、前記指示に含まれる条件に合致するファイルであるか否かを判定し、
前記書き込み要求に対応するファイルが、前記指示に含まれる条件に合致するファイルであれば、前記書き込み要求に対応する領域に格納されているデータを保存したのち、前記書き込み要求に応じて、前記書き込み要求で指定された領域にデータを書き込み、
前記書き込み要求に対応するファイルが、前記条件に合致するファイルでなければ、前記書き込み要求に応じて、前記書き込み要求に対応する領域にデータを書き込むことを特徴とする計算機システム。
【請求項２１】
請求項２０記載の計算機システムであって、
前記コンピュータは、前記条件として、データの所有者を指定することと、データの内容に含まれるキーワードを指定することと、データのファイルサイズを指定することとを含むことを特徴とする計算機システム。
【請求項２２】
制御装置と接続される記憶装置を有する記憶装置システムにおけるファイル分類方法であって、
前記制御装置が前記記憶装置内に格納されている１又は複数のファイルのうち、何れのファイルに対し、条件に基づいて前記ファイルに格納されているデータを保存するのかを決定するステップと、
前記制御装置が前記条件を前記記憶装置システム内に格納するステップと、
を備えることを特徴とするファイル分類方法。
【請求項２３】
請求項２２に記載のファイル分類方法であって、
前記条件として、データの所有者を指定することと、データの内容に含まれるキーワードを指定することと、データのファイルサイズを指定することを含むことを特徴とするファイル分類方法。